(57)【要約】【課題】回転テーブルの環状凹溝内に振り撒いた散薬を当該回転テーブルの径方向に掻き取って精度良く均等に分割することができる散薬分割装置を提供する。【解決手段】環状凹溝１１が設けられた回転テーブル１０と、環状凹溝内の散薬を掻き取るための分割掻き取り機構２０とを備え、環状凹溝内に散薬を振り撒いた後、回転テーブルを所定のピッチで回転させると共に、分割掻き取り機構によって、環状凹溝内の散薬を堰き止め、当該堰き止められた散薬を回転テーブルの径方向に掻き取る散薬分割装置であって、環状凹溝内に振り撒かれた散薬の高さが所定の高さを超えているか否かを検出するためのセンサＳを備え、センサＳによる検出結果に応じて、回転テーブルの回転ピッチを補正して、最終的な回転ピッチを決定するように構成されている。【選択図】  図１
2010018353.tif 000002
【特許請求の範囲】
【請求項１】
環状凹溝が設けられた回転テーブルと、前記環状凹溝内の散薬を掻き取るための分割掻き取り機構とを備え、前記環状凹溝内に散薬を振り撒いた後、前記回転テーブルを所定のピッチで回転させると共に、前記分割掻き取り機構によって、前記環状凹溝内の散薬を堰き止め、当該堰き止められた散薬を前記回転テーブルの径方向に掻き取る散薬分割装置であって、
前記環状凹溝内に振り撒かれた散薬の高さが所定の高さを超えているか否かを検出するためのセンサを備え、
前記センサによる検出結果に応じて、前記回転テーブルの回転ピッチを補正して、最終的な回転ピッチを決定することを特徴とする散薬分割装置。
【発明の詳細な説明】
【技術分野】
【０００１】
本発明は、回転テーブルの環状凹溝内に振り撒いた散薬を当該回転テーブルの径方向に掻き取って分割する散薬分割装置に関する。
【背景技術】
【０００２】
従来より、散薬を所要量ずつ小分けにして包装する分包機として、散薬分割用の環状凹溝を有する回転テーブルを備えた回転式分包機が知られている。
【０００３】
より具体的に説明すれば、回転式分包機は、環状凹溝が設けられた回転テーブルと、環状凹溝内の散薬を掻き取るための分割掻き取り機構と、掻き取られた散薬を包装するための包装機構とを備えている。そして、前状凹溝内に散薬を略均等に振り撒いた後、回転テーブルを所定の回転ピッチで回転させると共に、分割掻き取り機構によって、環状凹溝内の散薬を堰き止め、当該堰き止められた散薬を回転テーブルの径方向に掻き取り、包装機構で包装するように構成されている。
【０００４】
ここで、回転式分包機における回転テーブルの回転ピッチ（一分割当たりの回転量）は、最初の分割の際には、散薬の分割数に対応するピッチ（＝１回転／分割数）から分割掻き取り機構の掻き取り幅を減じた値に設定され、次の分割からは、分割数に対応するピッチに設定されるのが一般的であった。
【０００５】
しかしながら、斯かる回転ピッチの設定では、分割量（一分包当たりの散薬の量に相当）が均等にならない（特に、最初及び最後の分割の際に顕著である）ことが知られており、散薬を精度良く均等に分割するには、上記のようにして設定した回転ピッチを適宜補正することが必要である。
【０００６】
回転ピッチの補正方法としては、例えば、最初の分割の際には、散薬の分割数に対応するピッチと分割掻き取り機構の掻き取り幅との差から、当該ピッチ内で過剰に掻き取られる部分の面積に相当する角度分だけ減じた値に回転ピッチを設定し、次の分割からは、分割数に対応するピッチに設定し、さらに、最後の分割の際には、分割数に対応するピッチから当該ピッチ内で過剰に掻き取られる部分の面積に相当する角度分だけ減じた値に設定する方法が提案されている（例えば、特許文献１の請求項２参照）。
【０００７】
また、前記特許文献１には、分割される散薬の種類に応じて回転ピッチの補正量を調整することも提案されている（例えば、特許文献１の請求項３、４参照）。
【０００８】
しかしながら、前記特許文献１に記載された方法は、単に幾何学的な特性（回転テーブルを平面視したときにおける理論的な分割面積と分割掻き取り機構によって実際に掻き取られる面積との間に差が生じること）や、散薬の種類（微粉末、粉末、顆粒、粒子）に応じて回転ピッチを補正することを提案するに留まるものであり、散薬を精度良く均等に分割するには十分でないという問題がある。
【先行技術文献】
【特許文献】
【０００９】
【特許文献１】特許第３１３１１５３号公報
【発明の概要】
【発明が解決しようとする課題】
【００１０】
本発明は、斯かる従来技術の問題を解決するためになされたものであり、回転テーブルの環状凹溝内に振り撒いた散薬を当該回転テーブルの径方向に掻き取って精度良く均等に分割することができる散薬分割装置を提供することを課題とする。
【課題を解決するための手段】
【００１１】
斯かる課題を解決するべく、本発明の発明者らは鋭意検討した結果、散薬を精度良く均等に分割できないのは、分割掻き取り機構によって堰き止められる散薬の堆積状態が、一分割毎に堰き止められる散薬の量や、環状凹溝内に振り撒かれた散薬の堆積状態に応じて異なる（堰き止められる散薬の量が多ければ、堆積する散薬の山の高さが大きくなり、当該散薬が掻き取られる前に山崩れし易い等）のが一因となっていることを見出し、斯かる知見に基づいて本発明を完成させたものである。
【００１２】
すなわち、本発明は、環状凹溝が設けられた回転テーブルと、前記環状凹溝内の散薬を掻き取るための分割掻き取り機構とを備え、前記環状凹溝内に散薬を振り撒いた後、前記回転テーブルを所定のピッチで回転させると共に、前記分割掻き取り機構によって、前記環状凹溝内の散薬を堰き止め、当該堰き止められた散薬を前記回転テーブルの径方向に掻き取る散薬分割装置であって、前記環状凹溝内に振り撒かれた散薬の高さが所定の高さを超えているか否かを検出するためのセンサを備え、前記センサによる検出結果に応じて、前記回転テーブルの回転ピッチを補正して、最終的な回転ピッチを決定することを特徴とする散薬分割装置を提供するものである。
【発明の効果】
【００１３】
本発明によれば、環状凹溝内に振り撒かれた散薬の高さに応じて回転テーブルの回転ピッチが補正されるが、前記散薬の高さは、一分割毎に堰き止められる散薬の量や環状凹溝内に振り撒かれた散薬の堆積状態に関連するパラメータであるため、当該パラメータに応じて回転ピッチを補正することにより、散薬を精度良く均等に分割することが可能である。
【図面の簡単な説明】
【００１４】
【図１】図１は、本発明の一実施形態に係る回転式分包機の概略構成を示す平面図である。
【図２】図２は、図１に示す回転式分包機の部分横断面図である。
【図３】図３は、図１に示す回転式分包機の部分縦断面図である。
【図４】図４は、図１に示す回転式分包機の動作を説明するための説明図である。
【発明を実施するための形態】
【００１５】
以下、添付図面を参照しつつ、本発明の一実施形態について説明する。
【００１６】
図１は、本発明の一実施形態に係る回転式分包機の概略構成を示す平面図である。また、図２は、図１に示す回転式分包機の部分横断面図である。さらに、図３は、図１に示す回転式分包機の部分縦断面図である。図１〜図３に示すように、本実施形態に係る回転式分包機は、機体フレーム１上に左右２つの回転テーブル１０、１０を備えている。各回転テーブル１０、１０には、いずれも環状凹溝１１が設けられ、各環状凹溝１１に対向する所定の位置には、散薬の分割掻き取り機構２０が回転テーブル１０、１０の回転軌道に交差するようにして配設されている。分割掻き取り機構２０に隣接する回転テーブル１０、１０間の下方には、包装機構（図示せず）に繋がる供給シュート４５が配設されている。また、回転テーブル１０，１０の上方には、各環状凹溝１１内に散薬を振り撒くためのフィーダ（図示せず）と供給ホッパ（図示せず）とが配設されている。さらに、回転式分包機には、環状凹溝１１内に振り撒かれた散薬の高さを検出するためのセンサＳが配設されている。より具体的に説明すれば、本実施形態に係るセンサＳは、環状凹溝１１の底部より上方で且つ回転テーブル１０に略平行になるように光軸Ｌが設定された投光部Ｓ１及び受光部Ｓ２を具備する透過型の光電センサ（光電スイッチ）とされている。
【００１７】
回転テーブル１０、１０には、中央に円形の透孔１２が設けられ、この透孔１２の内周縁に沿うように駆動リング１４が下方に向けて突設されている。駆動リング１４には、突条１４’が設けられており、この突条１４’がそれに係合する複数個のガイドローラ１３によって案内されるようになっている。駆動リング１４は、機体フレーム１上に設置された駆動モータ（パルスモータ）１７、１７の出力軸に取り付けられたプーリ１８との間に巻き掛けられることによって駆動され、これによって回転テーブル１０、１０が回転するように構成されている。駆動モータ１７、１７は、コントローラＣからの制御信号によって起動・停止及び回転ピッチ（一分割当たりの回転量）が制御される。
【００１８】
分割掻き取り機構２０は、回転テーブル１０中央の透孔１２内に立設される駆動部支持フレーム１５に軸１６によって支持された支持アーム２５の先端の回転軸２４に、環状凹溝１１の曲率中心回りに回転する回転板２２と、回転板２２と同一軸心に設けられた掻き取り板２３とが支持されて別個に駆動されるようになっている。
【００１９】
支持アーム２５の支持軸を兼ねる駆動軸１６には、回転板２２を駆動するための駆動車３１が取り付けられると共に、軸受３２’、３２’を介して掻き取り板２３を駆動するための駆動車３２が取り付けられている。各駆動車３１、３２は、それぞれ単独のモータ（例えばパルスモータ）３４、３４’によって駆動されるウォーム歯車機構３５、３５’によって駆動され、駆動車３１と回転板２２の伝動車２６との間にはベルト３６が巻掛けられる一方、駆動車３２と掻き取り板２３の伝動車２９との間にはベルト３６’が巻き掛けられることにより、回転板２２及び掻き取り板２３が回転駆動される。なお、本実施形態におけるベルト３６、３６’はタイミングベルト（歯付きベルト）を用いており、各駆動車３１、３２及び伝動車２６、２９は、いずれもタイミングベルトと噛み合う歯車を用いている。
【００２０】
支持アーム２５は、基端において別駆動力で駆動操作されるカム３７と、支持アーム２５の端部に付設されたカムフォロア３７’との係合により、分割掻き取り動作が終了すると回転テーブル１０の環状凹溝１１から上方に持ち上げられ、次の分割掻き取り動作が開始されるまで、持ち上げられた位置で静止するように構成されている。なお、本実施形態に係る回転式分包機は、支持アーム２５が環状凹溝１１から上方へ回動待避する動作に連動して環状凹溝１１を清掃できるように、清掃具５９が設けられている。
【００２１】
次に、以上に説明した構成を有する回転式分包機の動作について説明する。
【００２２】
回転式分包機は、使用に際して、散薬の分割掻き取り機構２０の支持アーム２５が上昇した状態にされ、これにより回転テーブル１０の環状凹溝１１から回転板２２及び掻き取り板２３が上方へ持ち上げられる（図４（ａ）参照）。そして、コントローラＣの制御信号に従って回転している回転テーブル１０の環状凹溝１１内にフィーダから所要量の散薬Ａが振り撒かれる。
【００２３】
次に、環状凹溝１１内への散薬Ａの振り撒きが終了すれば、コントローラＣの制御信号に従って回転テーブル１０は停止すると共に、光電センサＳよって振り撒かれた散薬Ａの高さが検出され、検出結果（光電センサＳのオン・オフ信号）がコントローラＣに送信される。
【００２４】
光電センサＳによる散薬Ａの高さ検出が終了すれば、分割掻き取り機構２０の支持アーム２５をカム３７の回動によって下降させ、回転板２２を環状凹溝１１上に進入させ、掻き取り板２３を所定速度で回転させる（図４（ｂ）参照）。斯かる動作と共に、コントローラＣは、後述するように、検出結果に応じて回転テーブル１０の回転ピッチを補正し、当該補正後の回転ピッチで回転テーブル１０を回転させる。これにより、回転板２２の回転によって堰き止められた散薬Ａは、掻き取り板２３によって掻き取られ、供給シュート４５を介して包装袋に送り込まれる。なお、回転板２２及び掻き取り板２３の回転は、分割数の大小等に応じて、両者の同調回転又は掻き取り板２３のみの回転が適宜選択される。
【００２５】
回転テーブル１０の回転、回転板２２による散薬Ａの堰き止め、掻き取り板２３による散薬Ａの掻き取りを繰り返し、全分包量の分割掻き取り動作が終了すれば、カム３７の回動によりカムフォロア３７’を介して支持アーム２５が持ち上げられ、分割掻き取り機構２０が上昇退避する一方、清掃具５９が環状凹溝１１に接触して清掃が施される（図４（ｃ）参照）。
【００２６】
以下、本発明の特徴部分である、前述したコントローラＣによる回転テーブル１０の回転ピッチ補正手順について具体的に説明する。
【００２７】
コントローラＣには、初期設定として、分割数（分包数）に応じた回転テーブル１０の回転ピッチが予め設定記憶されている。より具体的に説明すれば、コントローラＣには、分包数及び分包する順番（第１包目、第２包目など）に対応する回転テーブル１０の各回転ピッチが、駆動モータ１７の駆動パルス数の形態で記憶されている（例えば、第１包目は、分包数に対応するピッチのパルス数から掻き取り幅に対応するパルス数を減じた値が記憶され、第２包目以降は、分包数に対応するピッチのパルス数が記憶される）。従って、仮に回転ピッチの補正を施さない場合を考えれば、コントローラＣに所定の分包数が入力されると、当該分包数に対応し且つ分包する順番に応じた回転ピッチが順次選択され、当該選択された回転ピッチに従って駆動モータ１７、ひいては回転テーブル１０が回転駆動されることになる。
【００２８】
ここで、コントローラＣには、上記のようにして予め設定記憶された回転ピッチを補正するための補正係数が、分包数及び分包する順番に応じて記憶されている。より具体的には、下記表１に一例を示すように、光電センサＳによって検出した環状凹溝１１内に振り撒かれた散薬Ａの高さに応じて異なる補正係数が設定記憶されている。
【表１】
2010018353.tif 000003
【００２９】
ここで、表１の（ａ）は散薬Ａの高さが光電センサＳの光軸Ｌよりも小さい場合（光電センサＳの受光器Ｓ２からオン信号が送信された場合）に選択される補正係数を、（ｂ）は散薬Ａの高さが光電センサＳの光軸Ｌよりも大きい場合（光電センサＳの受光器Ｓ２からオフ信号が送信された場合）に選択される補正係数を示す。なお、表１中の数値は％単位であり、予め設定記憶された回転ピッチに対して、対応する補正係数を乗算することにより、最終的な回転ピッチが決定されることになる。本実施形態では、分割量に誤差が生じ易い（分割量が他の分包と異なり易い）第１包目、第２包目、最終２包（最終包の一つ前）及び最終包のみについて補正係数を設定しており、他の分包については、予め設定した回転ピッチをそのまま用いる構成を採用している。以上のようにして、予め設定記憶された回転ピッチは補正され、回転テーブル１０は、補正後の回転ピッチで回転することになる。
【００３０】
以上に説明したように、本実施形態に係る回転式分包機によれば、環状凹溝１１内に振り撒かれた散薬Ａの高さに応じて回転テーブル１０の回転ピッチが補正される。散薬Ａの高さは、一分割（一分包）毎に堰き止められる散薬Ａの量や環状凹溝１１内に振り撒かれた散薬Ａの堆積状態に関連するパラメータであるため、当該パラメータに応じて回転ピッチを補正することにより、散薬Ａを精度良く均等に分割することが可能である。
【００３１】
なお、本実施形態では、散薬の高さを検出するためのセンサＳとして、透過型の光電センサを用いる構成について説明したが、本発明はこれに限るものではなく、反射型の光電センサを採用することも可能である。
【００３２】
また、本実施形態では、各回転テーブル１０毎に一つの光電センサＳ（一対の投光部Ｓ１及び受光部Ｓ２）を配設する構成について説明したが、本発明はこれに限るものではなく、上下方向に複数の光電センサを配設する構成の他、２次元距離計や、２次元カメラと画像処理とを組合せた構成などを採用し、散薬Ａの高さをより精度良く検出することも可能である。斯かる構成によれば、精度良く検出した高さに応じて補正係数を細かく設定することが可能であり、散薬をより一層精度良く均等に分割し得ることが期待できる。
【符号の説明】
【００３３】
１０…回転テーブル
１１…環状凹溝
２０…分割掻き取り機構
Ｓ…センサ（光電センサ）
Ｃ…コントローラ
【図１】
2010018353.tif 000004
【図２】
2010018353.tif 000005
【図３】
2010018353.tif 000006
【図４】
2010018353.tif 000007